(57)【要約】【課題】直感的で操作しやすいユーザインターフェースをユーザに提供することができるＦＦＴアナライザを提供すること。【解決手段】ＦＦＴアナライザ１０は、ＦＦＴ処理されたデータに基づいて波形３０１をタッチパネル２０の表示部２１に表示し、波形３０１を表示した表示部２１に対応する、タッチパネル２０のタッチ部２２におけるマルチタッチを受け付け、受け付けたマルチタッチに応じて、表示している波形３０１の表示を変更する。ＦＦＴアナライザ１０は、さらに、目盛を表示した表示部２１に対応するタッチ部２２におけるマルチタッチに応じて、波形３０１の表示を変更する。【選択図】図１
2015152360.tif 000002
【特許請求の範囲】
【請求項１】
入力した信号をＦＦＴ処理し、周波数領域の波形を表示するＦＦＴアナライザであって、
前記波形を表示できる表示部と、マルチタッチを検出できるタッチ部とから構成されるタッチパネルと、
前記ＦＦＴ処理されたデータに基づいて前記波形を前記タッチパネルの前記表示部に表示する波形表示手段と、
前記波形表示手段によって前記波形が表示された前記表示部に対応する前記タッチ部におけるマルチタッチを受け付けるマルチタッチ受付手段と、
前記マルチタッチ受付手段によって受け付けられた前記マルチタッチに応じて、前記波形表示手段によって表示されている前記波形の表示を変更する表示変更手段と、
を備えるＦＦＴアナライザ。
【請求項２】
前記マルチタッチ受付手段は、前記波形表示手段によって目盛が表示された前記表示部に対応する前記タッチ部におけるマルチタッチをさらに受け付け、
前記表示変更手段は、前記マルチタッチ受付手段によって受け付けられた前記マルチタッチに応じて、前記波形表示手段によって表示されている前記波形の表示を変更する、
請求項１に記載のＦＦＴアナライザ。
【発明の詳細な説明】
【技術分野】
【０００１】
本発明は、ＦＦＴアナライザに関する。
【背景技術】
【０００２】
従来より、振動現象を解析するために、ＦＦＴアナライザが用いられている。ＦＦＴアナライザは、入力された信号波形をディジタル的（離散的）にサンプリングすることにより、データとして記憶し、記憶したデータをＦＦＴ（高速フーリエ変換）処理することによってスペクトル解析を行い、その結果を表示する。
【０００３】
ＦＦＴアナライザのような測定装置において、適切な結果を表示させるためには、時間軸分解能や周波数分解能がユーザによって適切に選択される必要がある。ユーザは、表示された波形を観察しながら操作し、適切な選択を行うのが通常である。このような操作において、直感的で操作しやすいユーザインターフェースが、測定装置の操作の特徴に合わせて様々に開発されている。
【０００４】
例えば、特許文献１の測定装置は、測定対象物を測定する測定部から得た測定結果をタッチパネル式ディスプレイに表示し、ディスプレイに対するタッチスライド操作に応じて測定結果の表示内容を変更する。
【先行技術文献】
【特許文献】
【０００５】
【特許文献１】特開２０１２−１８４９７３号公報
【発明の概要】
【発明が解決しようとする課題】
【０００６】
しかしながら、特許文献１に開示された技術は、信号波形を表示するＦＦＴアナライザにおける直感的で操作しやすいユーザインターフェースに関する技術ではない。
【０００７】
そこで、ＦＦＴアナライザにおける直感的で操作しやすいユーザインターフェースが望まれている。
【０００８】
本発明は、直感的で操作しやすいユーザインターフェースをユーザに提供できるＦＦＴアナライザを提供することを目的とする。
【課題を解決するための手段】
【０００９】
具体的には、以下のような解決手段を提供する。
（１）  入力した信号をＦＦＴ処理し、周波数領域の波形を表示するＦＦＴアナライザであって、前記波形を表示できる表示部と、マルチタッチを検出できるタッチ部とから構成されるタッチパネルと、前記ＦＦＴ処理されたデータに基づいて前記波形を前記タッチパネルの前記表示部に表示する波形表示手段と、前記波形表示手段によって前記波形が表示された前記表示部に対応する前記タッチ部におけるマルチタッチを受け付けるマルチタッチ受付手段と、前記マルチタッチ受付手段によって受け付けられた前記マルチタッチに応じて、前記波形表示手段によって表示されている前記波形の表示を変更する表示変更手段と、を備えるＦＦＴアナライザ。
【００１０】
（１）の構成によれば、ＦＦＴアナライザは、ＦＦＴ処理されたデータに基づいて波形をタッチパネルの表示部に表示し、波形を表示した表示部に対応する、タッチパネルのタッチ部におけるマルチタッチを受け付け、受け付けたマルチタッチに応じて、表示している波形の表示を変更する。
【００１１】
すなわち、ＦＦＴアナライザは、表示している波形に対するマルチタッチに応じて波形の表示を変更する。
したがって、ＦＦＴアナライザは、直感的で操作しやすいユーザインターフェースをユーザに提供することができる。
【００１２】
（２）  前記マルチタッチ受付手段は、前記波形表示手段によって目盛が表示された前記表示部に対応する前記タッチ部におけるマルチタッチをさらに受け付け、前記表示変更手段は、前記マルチタッチ受付手段によって受け付けられた前記マルチタッチに応じて、前記波形表示手段によって表示されている前記波形の表示を変更する、（１）に記載のＦＦＴアナライザ。
【００１３】
すなわち、ＦＦＴアナライザは、さらに、目盛に対するマルチタッチに応じて、波形の表示を変更する。
したがって、ＦＦＴアナライザは、さらに直感的で操作しやすいユーザインターフェースをユーザに提供することができる。
【発明の効果】
【００１４】
本発明によれば、直感的で操作しやすいユーザインターフェースをユーザに提供することができる。
【図面の簡単な説明】
【００１５】
【図１】本発明の一実施形態に係るＦＦＴアナライザの構成概要を示すブロック図である。
【図２】本発明の一実施形態に係るＦＦＴアナライザによる波形表示の例を示す図である。
【図３】本発明の一実施形態に係るＦＦＴアナライザにおける表示処理のフローチャートである。
【図４】図３に続くフローチャートである。
【図５】本発明の一実施形態に係るＦＦＴアナライザの表示変更のうち、波形タッチエリアにおけるパン操作に応じた表示変更の例を示す図である。
【図６】本発明の一実施形態に係るＦＦＴアナライザの表示変更のうち、波形タッチエリアにおけるパン操作に応じた表示変更の解除の例を示す図である。
【図７】本発明の一実施形態に係るＦＦＴアナライザの表示変更のうち、波形タッチエリアの上半分部分におけるパン操作に応じた表示変更の例を示す図である。
【図８】本発明の一実施形態に係るＦＦＴアナライザの表示変更のうち、波形タッチエリアの下半分部分におけるパン操作に応じた表示変更の例を示す図である。
【図９】本発明の一実施形態に係るＦＦＴアナライザの表示変更のうち、波形タッチエリアのピンチ操作に応じた表示変更の例を示す図である。
【図１０】本発明の一実施形態に係るＦＦＴアナライザの表示変更のうち、波形タッチエリアにおける２本の指によるパン操作に応じた表示変更の例を示す図である。
【図１１】本発明の一実施形態に係るＦＦＴアナライザの表示変更のうち、波形タッチエリアにおけるダブルタップ操作に応じた表示変更の例を示す図である。
【図１２】本発明の一実施形態に係るＦＦＴアナライザの表示変更のうち、Ｙ軸目盛タッチエリアにおけるパン操作に応じた表示変更の例を示す図である。
【図１３】本発明の一実施形態に係るＦＦＴアナライザの表示変更のうち、Ｘ軸目盛タッチエリアにおけるパン操作に応じた表示変更の例を示す図である。
【発明を実施するための形態】
【００１６】
以下、本発明の実施形態について図を参照しながら説明する。
図１は、本発明の一実施形態に係るＦＦＴアナライザ１０の構成概要を示すブロック図である。図２は、本発明の一実施形態に係るＦＦＴアナライザ１０による波形表示の例を示す図である。ＦＦＴアナライザ１０は、信号処理手段１１と表示機能手段１２とを備え、信号処理手段１１は、入力した信号をサンプリングし、サンプリングしたデータを記憶し、記憶したデータをＦＦＴ処理する。表示機能手段１２は、タッチパネル２０と、波形表示手段１２１と、マルチタッチ受付手段１２２と、表示変更手段１２３とを備える。表示機能手段１２について、手段ごとに説明する。
【００１７】
タッチパネル２０は、表示と入力との機能を備え、波形３０１を表示できる表示部２１と、ユーザの指５１によるマルチタッチを検出できるタッチ部２２とから構成される。具体的には、タッチパネル２０は、マルチタッチの入力を可能とするものであればよく、動作方式は、静電容量方式や、抵抗膜方式、赤外線方式、超音波方式等であってよい。
【００１８】
波形表示手段１２１は、ＦＦＴ処理されたデータに基づいて波形３０１をタッチパネル２０の表示部２１に表示する。具体的には、波形表示手段１２１は、時間軸の波形３０１や、周波数軸のスペクトル等の波形３０１をタッチパネル２０の表示部２１に表示する。
例えば、波形表示手段１２１は、タッチパネル２０の表示部２１に図２のような波形３０１を、Ｙ軸及びＸ軸の目盛と共に表示する。
【００１９】
マルチタッチ受付手段１２２は、波形表示手段１２１によって波形３０１が表示された表示部２１に対応するタッチ部２２におけるマルチタッチを受け付ける。具体的には、マルチタッチ受付手段１２２は、表示部２１のうち、波形３０１が表示された部分（波形表示エリア２３１と言う。）に対応する、タッチ部２２のうちの部分（波形タッチエリア２３２と言う。）におけるマルチタッチを受け付ける。
例えば、マルチタッチ受付手段１２２は、波形タッチエリア２３２における、（ａ）右又は左方向のパン操作、（ｂ）上又は下方向のパン操作、（ｃ）ピンチ操作、（ｄ）２本指による右又は左方向のパン操作、（ｅ）ダブルタップ操作等を受け付ける。
【００２０】
さらに、マルチタッチ受付手段１２２は、波形表示手段１２１によって目盛が表示された表示部２１に対応するタッチ部２２におけるマルチタッチを受け付ける。
具体的には、マルチタッチ受付手段１２２は、表示部２１のうち、目盛が表示された部分（Ｙ軸の部分をＹ軸目盛表示エリア２４１と言い、Ｘ軸の部分をＸ軸目盛表示エリア２５１と言う。）に対応する、タッチ部２２のうちの部分（Ｙ軸の部分をＹ軸目盛タッチエリア２４２と言い、Ｘ軸の部分をＸ軸目盛タッチエリア２５２と言う。）におけるマルチタッチを受け付ける。
例えば、マルチタッチ受付手段１２２は、Ｙ軸目盛タッチエリア２４２における、（ｆ）上又は下方向のパン操作や、Ｘ軸目盛タッチエリア２５２における、（ｇ）右又は左方向のパン操作等を受け付ける。
【００２１】
表示変更手段１２３は、マルチタッチ受付手段１２２によって受け付けられたマルチタッチに応じて、波形表示手段１２１によって表示されている波形３０１の表示を変更する。
具体的には、表示変更手段１２３は、次のように波形３０１の表示を変更する。
上述の（ａ）波形タッチエリア２３２における右又は左方向のパン操作に基づいて、表示変更手段１２３は、Ｘ軸表示範囲の表示を拡大又は解除する。
上述の（ｂ）波形タッチエリア２３２における上又は下方向のパン操作に基づいて、表示変更手段１２３は、波形タッチエリア２３２全体のうち上半分での上又は下方向のパン操作に対し、Ｙ軸の目盛の下限値を同じ値に保持したままで、Ｙ軸の目盛の上限値を１段階大きな値又は小さな値に変更すると共に、波形３０１の表示をＹ軸の目盛に対応させて変更する。同様に、表示変更手段１２３は、波形タッチエリア２３２全体のうち下半分での上又は下方向のパン操作に対し、Ｙ軸の目盛の上限値を同じ値に保持したままで、Ｙ軸の目盛の下限値を１段階大きな値又は小さな値に変更すると共に、波形３０１の表示をＹ軸の目盛に対応させて変更する。
上述の（ｃ）波形タッチエリア２３２におけるピンチ操作に基づいて、表示変更手段１２３は、波形３０１の表示を拡大又は縮小する。
上述の（ｄ）波形タッチエリア２３２における２本指による右又は左方向のパン操作に基づいて、表示変更手段１２３は、波形３０１の表示を右又は左方向に移動させて表示すると共に、Ｘ軸の目盛の表示を対応させて変更する。
上述の（ｅ）波形タッチエリア２３２におけるダブルタップ操作に基づいて、表示変更手段１２３は、Ｙ軸方向のオートスケール（波形３０１がＹ軸の目盛内に入るようにＹ軸の目盛を変更する）を行うと共に、波形３０１の表示をＹ軸の目盛に対応させて変更する。
上述の（ｆ）Ｙ軸目盛タッチエリア２４２における上又は下方向のパン操作に基づいて、表示変更手段１２３は、Ｙ軸の目盛を上又は下方向に移動させると共に、波形３０１の表示をＹ軸の目盛に対応させて変更する。
上述の（ｇ）Ｘ軸目盛タッチエリア２５２における右又は左方向のパン操作に基づいて、表示変更手段１２３は、Ｘ軸の目盛を右又は左方向に移動させると共に、波形３０１の表示をＸ軸の目盛に対応させて変更する。
【００２２】
図３は、本発明の一実施形態に係るＦＦＴアナライザ１０における表示処理のフローチャートである。図４は、図３に続くフローチャートである。ＦＦＴアナライザ１０は、コンピュータ及びその周辺装置が備えるハードウェア並びに該ハードウェアを制御するソフトウェアによって構成され、以下の処理は、制御部（例えば、ＣＰＵ）が所定のソフトウェアに従い実行する処理である。表示処理は、信号処理手段１１による信号処理の後に起動される。
【００２３】
ステップＳ１０１において、ＣＰＵ（波形表示手段１２１）は、波形３０１をタッチパネル２０の表示部２１に表示する。その後、ＣＰＵは、処理をステップＳ１０２に移す。
【００２４】
ステップＳ１０２において、ＣＰＵ（マルチタッチ受付手段１２２）は、マルチタッチか否かを判断する。この判断がＹＥＳの場合、ＣＰＵは、処理をステップＳ１０３に移し、この判断がＮＯの場合、ＣＰＵは、処理をステップＳ１０１に移す。
【００２５】
ステップＳ１０３において、ＣＰＵ（マルチタッチ受付手段１２２）は、波形タッチエリア２３２でのマルチタッチか否かを判断する。この判断がＹＥＳの場合、ＣＰＵは、処理をステップＳ１０４に移し、この判断がＮＯの場合、ＣＰＵは、処理をステップＳ１１４に移す。
【００２６】
ステップＳ１０４において、ＣＰＵ（マルチタッチ受付手段１２２）は、波形タッチエリア２３２における右又は左方向のパン操作か否かを判断する。この判断がＹＥＳの場合、ＣＰＵは、処理をステップＳ１０５に移し、この判断がＮＯの場合、ＣＰＵは、処理をステップＳ１０６に移す。
【００２７】
ステップＳ１０５において、ＣＰＵ（表示変更手段１２３）は、Ｘ軸方向の指定された範囲の拡大又は解除を行う（後述の図５及び図６を参照）。その後、ＣＰＵは、処理をステップＳ１０１に移す。
【００２８】
ステップＳ１０６において、ＣＰＵ（マルチタッチ受付手段１２２）は、波形タッチエリア２３２における上又は下方向のパン操作か否かを判断する。この判断がＹＥＳの場合、ＣＰＵは、処理をステップＳ１０７に移し、この判断がＮＯの場合、ＣＰＵは、処理をステップＳ１０８に移す。
【００２９】
ステップＳ１０７において、ＣＰＵ（表示変更手段１２３）は、波形タッチエリア２３２全体のうち上半分での上又は下方向のパン操作に対しＹ軸の目盛の上限値を１段階小さな値又は大きな値に変更すると共に、波形３０１の表示をＹ軸の目盛に対応させて変更する（後述の図７を参照）。同様に、ＣＰＵ（表示変更手段１２３）は、波形タッチエリア２３２全体のうち下半分での上又は下方向のパン操作に対しＹ軸の目盛の下限値を１段階大きな値又は小さな値に変更すると共に、波形３０１の表示をＹ軸の目盛に対応させて変更する（後述の図８を参照）。その後、ＣＰＵは、処理をステップＳ１０１に移す。
【００３０】
ステップＳ１０８において、ＣＰＵ（マルチタッチ受付手段１２２）は、波形タッチエリア２３２におけるピンチ操作か否かを判断する。この判断がＹＥＳの場合、ＣＰＵは、処理をステップＳ１０９に移し、この判断がＮＯの場合、ＣＰＵは、処理をステップＳ１１０に移す。
【００３１】
ステップＳ１０９において、ＣＰＵ（表示変更手段１２３）は、指定された範囲の波形３０１の表示を拡大又は縮小する（後述の図９を参照）。その後、ＣＰＵは、処理をステップＳ１０１に移す。
【００３２】
ステップＳ１１０において、ＣＰＵ（マルチタッチ受付手段１２２）は、波形タッチエリア２３２における２本指による右又は左方向のパン操作か否かを判断する。この判断がＹＥＳの場合、ＣＰＵは、処理をステップＳ１１１に移し、この判断がＮＯの場合、ＣＰＵは、処理をステップＳ１１２に移す。
【００３３】
ステップＳ１１１において、ＣＰＵ（表示変更手段１２３）は、波形３０１の表示を右又は左方向（Ｘ軸方向）に移動させて表示すると共に、Ｘ軸の目盛の表示を対応させて変更する（後述の図１０を参照）。その後、ＣＰＵは、処理をステップＳ１０１に移す。
【００３４】
ステップＳ１１２において、ＣＰＵ（マルチタッチ受付手段１２２）は、波形タッチエリア２３２におけるダブルタップ操作か否かを判断する。この判断がＹＥＳの場合、ＣＰＵは、処理をステップＳ１１３に移し、この判断がＮＯの場合、ＣＰＵは、処理をステップＳ１０１に移す。
【００３５】
ステップＳ１１３において、ＣＰＵ（表示変更手段１２３）は、Ｙ軸方向のオートスケールを行うと共に、波形３０１の表示をＹ軸の目盛に対応させて変更する（後述の図１１を参照）。その後、ＣＰＵは、処理をステップＳ１０１に移す。
【００３６】
ステップＳ１１４において、ＣＰＵ（マルチタッチ受付手段１２２）は、Ｙ軸目盛タッチエリア２４２における上又は下方向のパン操作か否かを判断する。この判断がＹＥＳの場合、ＣＰＵは、処理をステップＳ１１５に移し、この判断がＮＯの場合、ＣＰＵは、処理をステップＳ１１６に移す。
【００３７】
ステップＳ１１５において、ＣＰＵ（表示変更手段１２３）は、Ｙ軸の目盛を上又は下方向に移動させると共に、波形３０１の表示をＹ軸の目盛に対応させて変更する（後述の図１２を参照）。その後、ＣＰＵは、処理をステップＳ１０１に移す。
【００３８】
ステップＳ１１６において、ＣＰＵ（マルチタッチ受付手段１２２）は、Ｘ軸目盛タッチエリア２５２における右又は左方向のパン操作か否かを判断する。この判断がＹＥＳの場合、ＣＰＵは、処理をステップＳ１１７に移し、この判断がＮＯの場合、ＣＰＵは、処理をステップＳ１０１に移す。
【００３９】
ステップＳ１１７において、ＣＰＵ（表示変更手段１２３）は、Ｘ軸の目盛を右又は左方向に移動させると共に、波形３０１の表示をＸ軸の目盛に対応させて変更する（後述の図１３を参照）。その後、ＣＰＵは、処理をステップＳ１０１に移す。
【００４０】
図５は、本発明の一実施形態に係るＦＦＴアナライザ１０の表示変更のうち、波形タッチエリア２３２におけるパン操作に応じた表示変更の例を示す図である。
ＦＦＴアナライザ１０は、波形タッチエリア２３２におけるタップ操作を受け付け、受け付けたタップ操作の後に、Ｘ軸の右方向のパン操作を受け付けると、受け付けた右方向のパン操作及び範囲に応じて波形３０１を拡大表示する。
図５（１）の例は、ＦＦＴアナライザ１０が、波形タッチエリア２３２におけるＸ軸方向のパン操作として、拡大開始ポイント（例えば、１０００Ｈｚ）から拡大終了ポイント（例えば、６０００Ｈｚ）までのパン操作を受け付けたことを表わす例である。
図５（２）の例は、図５（１）の操作に応じてＦＦＴアナライザ１０が、０Ｈｚから２００００Ｈｚまでの波形表示を１０００Ｈｚから６０００Ｈｚまでの波形表示に拡大表示したことを表わす例である。
【００４１】
図６は、本発明の一実施形態に係るＦＦＴアナライザ１０の表示変更のうち、波形タッチエリア２３２におけるパン操作に応じた表示変更の解除の例を示す図である。
ＦＦＴアナライザ１０は、波形タッチエリア２３２におけるタップ操作を受け付け、受け付けたタップ操作の後に、Ｘ軸の左方向のパン操作を受け付けると、受け付けた左方向のパン操作に応じて波形３０１の拡大表示を解除する。
図６（１）の例は、ＦＦＴアナライザ１０が、波形タッチエリア２３２においてＸ軸の左方向のパン操作を受け付けたことを表わす例である。
図６（２）の例は、図６（１）の操作に応じてＦＦＴアナライザ１０が、受け付けた左方向のパン操作に応じて波形３０１の拡大表示を解除したことを表わす例である。
【００４２】
図７は、本発明の一実施形態に係るＦＦＴアナライザ１０の表示変更のうち、波形タッチエリア２３２の上半分部分におけるパン操作に応じた表示変更の例を示す図である。
ＦＦＴアナライザ１０は、波形タッチエリア２３２におけるタップ操作を受け付け、受け付けたタップ操作の後に、Ｙ軸方向のパン操作を受け付けると、受け付けた波形タッチエリア２３２の上半分部分における上方向又は下方向のパン操作に応じて、Ｙ軸の目盛の下限値を変えずにＹ軸の目盛の上限値を１段階大きな値又は小さな値に変更すると共に、変更した目盛に応じた波形３０１を表示する。
図７（１）の例は、ＦＦＴアナライザ１０が、波形タッチエリア２３２の上半分部分における上方向のパン操作を受け付けたことを表わす例である。
図７（２）の例は、図７（１）の操作に応じてＦＦＴアナライザ１０が、受け付けた波形タッチエリア２３２の上半分部分における上方向のパン操作に応じて、Ｙ軸の目盛の下限値（例えば、−８０）を変えずにＹ軸の目盛の上限値を１段階大きな値（例えば、０から１段階大きな値である１０）に変更すると共に、変更した目盛に応じた波形３０１を表示したことを表わす例である。
【００４３】
図８は、本発明の一実施形態に係るＦＦＴアナライザ１０の表示変更のうち、波形タッチエリア２３２の下半分部分におけるパン操作に応じた表示変更の例を示す図である。
ＦＦＴアナライザ１０は、波形タッチエリア２３２におけるタップ操作を受け付け、受け付けたタップ操作の後に、Ｙ軸方向のパン操作を受け付けると、受け付けた波形タッチエリア２３２の下半分部分における上方向又は下方向のパン操作に応じて、Ｙ軸の目盛の上限値を変えずにＹ軸の目盛の下限値を１段階大きな値又は小さな値に変更すると共に、変更した目盛に応じた波形３０１を表示する。
図８（１）の例は、ＦＦＴアナライザ１０が、波形タッチエリア２３２の下半分部分における下方向のパン操作を受け付けたことを表わす例である。
図８（２）の例は、図８（１）の操作に応じてＦＦＴアナライザ１０が、受け付けた波形タッチエリア２３２の下半分部分における下方向のパン操作に応じて、Ｙ軸の目盛の上限値（例えば、０）を変えずにＹ軸の目盛の下限値を１段階小さな値（例えば、−８０から１段階小さな値である−９０）に変更すると共に、変更した目盛に応じた波形３０１を表示したことを表わす例である。
【００４４】
図９は、本発明の一実施形態に係るＦＦＴアナライザ１０の表示変更のうち、波形タッチエリア２３２のピンチ操作に応じた表示変更の例を示す図である。
ＦＦＴアナライザ１０は、波形タッチエリア２３２における２点を指５１ａ，５１ｂで掴むピンチ操作を受け付け、受け付けたピンチ操作の拡大方向又は縮小方向に応じて、２点によって囲まれた範囲を波形表示エリア２３１の全範囲に拡大又は縮小して表示する。
図９（１）の例は、ＦＦＴアナライザ１０が、波形タッチエリア２３２における２点（例えば、（１０００，−１０）と、（８０００，−７０）と）を掴むピンチ操作を受け付けたことを表わす例である。
図９（２）の例は、図９（１）の操作に応じてＦＦＴアナライザ１０が、受け付けたピンチ操作の拡大方向に応じて、２点によって囲まれた範囲を波形表示エリア２３１の全範囲に拡大して表示したことを表わす例である。
【００４５】
図１０は、本発明の一実施形態に係るＦＦＴアナライザ１０の表示変更のうち、波形タッチエリア２３２における２本の指５１ａ，５１ｂによるパン操作に応じた表示変更の例を示す図である。
ＦＦＴアナライザ１０は、波形タッチエリア２３２における２本の指５１ａ，５１ｂによるタップ操作を受け付け、受け付けた２本の指５１ａ，５１ｂによるタップ操作の後に、右方向又は左方向のパン操作を受け付けると、受け付けた右方向又は左方向のパン操作に応じてＸ軸の表示スパンを保持したまま、Ｘ軸の目盛を右方向又は左方向に移動させると共に、波形３０１の表示を右方向又は左方向に移動させる。ＦＦＴアナライザ１０は、後述の図１３と同様の変更をする。
図１０（１）の例は、ＦＦＴアナライザ１０が、波形タッチエリア２３２における２本の指５１ａ，５１ｂによる左方向のパン操作を受け付けたことを表わす例である。
図１０（２）の例は、図１０（１）の操作に応じてＦＦＴアナライザ１０が、受け付けた２本の指５１ａ，５１ｂによる左方向のパン操作に応じてＸ軸の表示スパンを保持したまま、Ｘ軸の目盛を左方向（１０００〜４０００を１５００付近〜４５００付近）に移動させると共に、波形３０１の表示を左方向に移動させて表示したことを表わす例である。
【００４６】
図１１は、本発明の一実施形態に係るＦＦＴアナライザ１０の表示変更のうち、波形タッチエリア２３２におけるダブルタップ操作に応じた表示変更の例を示す図である。
ＦＦＴアナライザ１０は、波形タッチエリア２３２におけるダブルタップ操作を受け付け、受け付けたダブルタップ操作に応じて、Ｘ軸の表示スパンを保持したまま、Ｙ軸のオートスケールをすると共に、オートスケールされたＹ軸に基づいて波形３０１を表示する。
図１１（１）の例は、ＦＦＴアナライザ１０が、波形タッチエリア２３２におけるダブルタップ操作を受け付けたことを表わす例である。
図１１（２）の例は、図１１（１）の操作に応じてＦＦＴアナライザ１０が、受け付けたダブルタップ操作に応じて、Ｘ軸の表示スパンを保持したまま、Ｙ軸のオートスケールをする（Ｙ軸の目盛を−１１０〜−３０から−１３０〜−５０にする）と共に、オートスケールされたＹ軸に基づいて波形３０１を表示したことを表わす例である。
【００４７】
図１２は、本発明の一実施形態に係るＦＦＴアナライザ１０の表示変更のうち、Ｙ軸目盛タッチエリア２４２におけるパン操作に応じた表示変更の例を示す図である。
ＦＦＴアナライザ１０は、Ｙ軸目盛タッチエリア２４２におけるタップ操作を受け付け、受け付けたタップ操作の後に、上方向又は下方向のパン操作を受け付けると、受け付けた上方向又は下方向のパン操作に応じてＹ軸の表示スパンを保持したまま、Ｙ軸の目盛を上方向又は下方向に移動させると共に、波形３０１の表示を上方向又は下方向に移動させる。
図１２（１）の例は、ＦＦＴアナライザ１０が、Ｙ軸目盛タッチエリア２４２における上方向のパン操作を受け付けたことを表わす例である。
図１２（２）の例は、図１２（１）の操作に応じてＦＦＴアナライザ１０が、受け付けた上方向のパン操作に応じてＹ軸の表示スパンを保持したまま、Ｙ軸の目盛を上方向（−１１０〜−３０を−１３０〜―５０）に移動させると共に、波形３０１の表示を上方向に移動させたことを表わす例である。
【００４８】
図１３は、本発明の一実施形態に係るＦＦＴアナライザ１０の表示変更のうち、Ｘ軸目盛タッチエリア２５２におけるパン操作に応じた表示変更の例を示す図である。
ＦＦＴアナライザ１０は、Ｘ軸目盛タッチエリア２５２におけるタップ操作を受け付け、受け付けたタップ操作の後に、右方向又は左方向のパン操作を受け付けると、受け付けた右方向又は左方向のパン操作に応じてＸ軸の表示スパンを保持したまま、Ｘ軸の目盛を右方向又は左方向に移動させると共に、波形３０１の表示を右方向又は左方向に移動させる。
図１３（１）の例は、ＦＦＴアナライザ１０が、Ｘ軸目盛タッチエリア２５２における左方向のパン操作を受け付けたことを表わす例である。
図１３（２）の例は、図１３（１）の操作に応じてＦＦＴアナライザ１０が、受け付けた左方向のパン操作に応じてＸ軸の表示スパンを保持したまま、Ｘ軸の目盛を左方向（１０００〜４０００を１５００付近〜４５００付近）に移動させると共に、波形３０１の表示を左方向に移動させたことを表わす例である。
【００４９】
本実施形態によれば、ＦＦＴアナライザ１０は、ＦＦＴ処理されたデータに基づいて波形３０１をタッチパネル２０の表示部２１に表示し、波形３０１を表示した表示部２１に対応する、タッチパネル２０のタッチ部２２におけるマルチタッチを受け付け、受け付けたマルチタッチに応じて、表示している波形３０１の表示を変更する。ＦＦＴアナライザ１０は、さらに、目盛を表示した表示部２１に対応する、タッチパネル２０のタッチ部２２におけるマルチタッチに応じて、波形３０１の表示を変更する。すなわち、ＦＦＴアナライザ１０は、波形タッチエリア２３２における、（ａ）右又は左方向のパン操作、（ｂ）上又は下方向のパン操作、（ｃ）ピンチ操作、（ｄ）２本指による右又は左方向のパン操作、（ｅ）ダブルタップ操作等を受け付け、受け付けた操作に応じて、波形３０１の表示を変更し、Ｙ軸目盛タッチエリア２４２における、（ｆ）上又は下方向のパン操作や、Ｘ軸目盛タッチエリア２５２における、（ｇ）右又は左方向のパン操作等を受け付け、受け付けた操作に応じて、波形３０１の表示を変更する。
したがって、ＦＦＴアナライザ１０は、直感的で操作しやすいユーザインターフェースをユーザに提供することができる。
【００５０】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５１】
１０    ＦＦＴアナライザ
１１    信号処理手段
１２    表示機能手段
１２１  波形表示手段
１２２  マルチタッチ受付手段
１２３  表示変更手段
２０    タッチパネル
２１    表示部
２２    タッチ部
２３１  波形表示エリア
２３２  波形タッチエリア
２４１  Ｙ軸目盛表示エリア
２４２  Ｙ軸目盛タッチエリア
２５１  Ｘ軸目盛表示エリア
２５２  Ｘ軸目盛タッチエリア
３０１  波形
５１    指
【図１】
2015152360.tif 000003
【図２】
2015152360.tif 000004
【図３】
2015152360.tif 000005
【図４】
2015152360.tif 000006
【図５】
2015152360.tif 000007
【図６】
2015152360.tif 000008
【図７】
2015152360.tif 000009
【図８】
2015152360.tif 000010
【図９】
2015152360.tif 000011
【図１０】
2015152360.tif 000012
【図１１】
2015152360.tif 000013
【図１２】
2015152360.tif 000014
【図１３】
2015152360.tif 000015